(57)【要約】【課題】被測定デバイス３２に設けられたハンダボール３４に対して、安定して弾接し得るコイルばねコンタクト３０を提供する。【解決手段】被測定デバイス３８に設けられたハンダボール３４と、検査用治具１２に設けられた平板状のコンタクトパッド１６との間に介装されて、ハンダボール３４とコンタクトパッド１６を電気的接続させるコイルばねコンタクト３０であって、中央部でコイル軸をハンダボール３４側に２箇所偏寄するように形成し、偏寄した２箇所でハンダボール３４にその頂部の両側位置で当接するようにし、両端部のコイル軸をコンタクトパッド１６側に偏寄した部分でコンタクトパッド１６に当接する。【選択図】  図１
2008077896.tif 000002
【特許請求の範囲】
【請求項１】
被測定デバイスに設けられたハンダボールと、検査用治具に設けられた平板状のコンタクトパッドとの間に介装されて、前記ハンダボールと前記コンタクトパッドを電気的接続させるコイルばねコンタクトであって、コイル軸を前記ハンダボール側に２箇所偏寄するように形成し、前記偏寄した２箇所で前記ハンダボールにその頂部の両側位置で当接するようにし、前記ハンダボール側に偏寄した前記２箇所以外の部分で前記コンタクトパッドに当接するように構成したことを特徴とするコイルばねコンタクト。
【請求項２】
請求項１記載のコイルばねコンタクトにおいて、前記コイル軸を前記ハンダボール側に２箇所偏寄するとともに、両端部を前記コンタクトパッド側にそれぞれ偏寄するように形成し、前記ハンダボール側に偏寄した前記２箇所で前記ハンダボールにその頂部の両側位置で当接するとともに、前記コンタクトパッド側に偏寄した前記両端部で前記コンタクトパッドに当接するように構成したことを特徴とするコイルばねコンタクト。
【請求項３】
請求項１記載のコイルばねコンタクトにおいて、前記コイル軸を前記ハンダボール側に２箇所偏寄するとともに、両端部および中央部を前記コンタクトパッド側にそれぞれ偏寄するように形成し、前記ハンダボール側に偏寄した前記２箇所で前記ハンダボールにその頂部の両側位置で当接するとともに、前記コンタクトパッド側に偏寄した前記両端部および前記中央部で前記コンタクトパッドに当接するように構成したことを特徴とするコイルばねコンタクト。
【請求項４】
請求項１記載のコイルばねコンタクトにおいて、前記コイル軸を略Ｖ字状として、その両端部が前記ハンダボール側に偏寄するように形成し、前記両端部で前記ハンダボールにその頂部の両側位置で当接するとともに、前記略Ｖ字状に折り曲げた中央部で前記コンタクトパッドに当接するように構成したことを特徴とするコイルばねコンタクト。
【発明の詳細な説明】
【技術分野】
【０００１】
本発明は、被測定デバイスに設けられたハンダボールと、検査用治具に設けられた平板状のコンタクトパッドとの間に介装されて、ハンダボールとコンタクトパッドを電気的接続させるコイルばねコンタクトに関するものである。
【背景技術】
【０００２】
被測定デバイスに設けられた平板状のコンタクトパッドと、検査用治具に設けられた平板状のコンタクトパッドとの間に介装して、前記２つのコンタクトパッドを電気的接続させる従来のコイルばねコンタクトの技術を、特許出願人は、先に特開２００２−９３４９４号公報（以下、特許文献１と称する。）で提案している。この特許文献１で提案した技術を図４を参照して簡単に説明する。図４は、特許文献１で提案した従来のコイルばねコンタクトの構造を示し、（ａ）は使用状態における縦断面図であり、（ｂ）は（ａ）のＡ−Ａ断面矢視図である。
【０００３】
図４において、コイルばねコンタクト１０は、導電性と弾性を有する導電線が密着巻きでコイル状とされ、さらにそのコイル軸が略逆Ｖ字状に形成されている。そして、検査用治具１２側に配設される絶縁材からなるハウジング１４により、略逆Ｖ字状の両端部が検査用治具１２に設けられた平板状のコンタクトパッド１６に当接するようにして、コイルばねコンタクト１０が適宜に脱落しないように保持配設される。そして、コイルばねコンタクト１０の略逆Ｖ字状の中央部は、ハウジング１４から突出していて、被測定デバイス１８に設けられた平板状のコンタクトパッド２０に当接される。
【０００４】
かかる構成からなる従来のコイルばねコンタクト１０にあっては、略逆Ｖ字状のコイル軸の弾性変形および巻回されたコイル形状の弾性変形等により、検査用治具１２側のコンタクトパッド１６と被測定デバイス１８側のコンタクトパッド２０の間に介装されて、それぞれのコンタクトパッド１６、２０に弾接して、２つのコンタクトパッド１６、２０が電気的に接続される。
【特許文献１】特開２００２−９３４９４号公報
【発明の開示】
【発明が解決しようとする課題】
【０００５】
上記特許文献１記載の技術において、被測定デバイス１８に平板状のコンタクトパッド２０が設けられたものにあっては、何ら不具合はない。しかるに、近年、被測定デバイスに平板状のコンタクトパッド２０に代えて、半球状のハンダボールが設けられたものがある。このハンダボールが設けられた被測定デバイスに対して、特許文献１記載のコイルばねコンタクト１０を使用すると、略逆Ｖ字状の中央部がハンダボールの頂部に弾接して、この頂部を傷付ける虞がある。また、コイルばねコンタクト１０の略逆Ｖ字状の中央部が、ハンダボールの頂部に僅かにずれて弾接すると、略逆Ｖ字状の中央部に頂部からより離れる方向にずれる力が作用し、巻回されたコイルが斜めに傾くことで、弾接位置が変化する。よって、弾接位置の精度および弾接状態の安定性の点から問題があった。
【０００６】
本発明は、上述したごとき従来技術の事情に鑑みてなされたもので、被測定デバイスに設けられたハンダボールに対しても、安定して弾接し得るコイルばねコンタクトを提供することを目的とする。
【課題を解決するための手段】
【０００７】
かかる目的を達成するために、本発明のコイルばねコンタクトは、被測定デバイスに設けられたハンダボールと、検査用治具に設けられた平板状のコンタクトパッドとの間に介装されて、前記ハンダボールと前記コンタクトパッドを電気的接続させるコイルばねコンタクトであって、コイル軸を前記ハンダボール側に２箇所偏寄するように形成し、前記偏寄した２箇所で前記ハンダボールにその頂部の両側位置で当接するようにし、前記ハンダボール側に偏寄した前記２箇所以外の部分で前記コンタクトパッドに当接するように構成されている。
【０００８】
そして、前記コイル軸を前記ハンダボール側に２箇所偏寄するとともに、両端部を前記コンタクトパッド側にそれぞれ偏寄するように形成し、前記ハンダボール側に偏寄した前記２箇所で前記ハンダボールにその頂部の両側位置で当接するとともに、前記コンタクトパッド側に偏寄した前記両端部で前記コンタクトパッドに当接するように構成し得る。
【０００９】
また、前記コイル軸を前記ハンダボール側に２箇所偏寄するとともに、両端部および中央部を前記コンタクトパッド側にそれぞれ偏寄するように形成し、前記ハンダボール側に偏寄した前記２箇所で前記ハンダボールにその頂部の両側位置で当接するとともに、前記コンタクトパッド側に偏寄した前記両端部および前記中央部で前記コンタクトパッドに当接するように構成しても良い。
【００１０】
さらに、前記コイル軸を略Ｖ字状として、その両端部が前記ハンダボール側に偏寄するように形成し、前記両端部で前記ハンダボールにその頂部の両側位置で当接するとともに、前記略Ｖ字状に折り曲げた中央部で前記コンタクトパッドに当接するように構成することも可能である。
【発明の効果】
【００１１】
請求項１記載のコイルばねコンタクトにあっては、コイル軸を被測定デバイスに設けられたハンダボール側に２箇所偏寄するように形成し、偏寄した２箇所でハンダボールにその頂部の両側位置で当接するようにしたので、ハンダボールの頂部に傷が付くことがなく、しかも頂部の両側位置で当接することによりハンダボールの弾接位置がずれることがない。
【００１２】
請求項２記載のコイルばねコンタクトにあっては、コイル軸を被測定デバイスに設けられたハンダボール側に２箇所偏寄するとともに、両端部を検査用治具に設けられたコンタクトパッド側にそれぞれ偏寄するように形成したので、偏寄した２箇所でハンダボールにその頂部の両側位置で当接するとともに、両端部でコンタクトパッドに当接し、弾接位置がずれることがないとともに安定した電気的接続が得られる。
【００１３】
請求項３記載のコイルばねコンタクトにあっては、コイル軸を被測定デバイスに設けられたハンダボール側に２箇所偏寄するとともに、両端部および中央部を検査用治具に設けられたコンタクトパッド側にそれぞれ偏寄するように形成したので、偏寄した２箇所でハンダボールにその頂部の両側位置で当接するとともに、両端部および中央部でコンタクトパッドに当接し、ハンダボールの弾接位置がずれることがないとともにコンタクトパッドにより安定した電気的接続が得られる。
【００１４】
請求項４記載のコイルばねコンタクトにあっては、コイル軸を略Ｖ字状として、その両端部が被測定デバイスに設けられたハンダボール側に偏寄するように形成したので、ハンダボールにその頂部の両側位置で当接するとともに、Ｖ字状に折り曲げた中央部がコンタクトパッドに当接し、ハンダボールの弾接位置がずれることがなく、しかもコイル軸方向の寸法をに短く形成できる。
【発明を実施するための最良の形態】
【００１５】
以下、本発明の第１実施例を図１を参照して説明する。図１は、本発明のコイルばねコンタクトの第１実施例の構造を示し、（ａ）は使用状態における縦断面図であり、（ｂ）は（ａ）のＢ−Ｂ断面矢視図である。図１において、図４に示す部材と同じまたは均等な部材には同じ符号を付けて重複する説明を省略する。
【００１６】
図１において、図４に示すものと相違するところは、導電性と弾性を有する導電線が密着巻きでコイル状とされたコイルばねコンタクト３０のコイル軸が、被測定デバイス３２に設けられたハンダボール３４側に２箇所偏寄するように形成されている点にある。より具体的には、中央部の１ターンを挟んだ両側のそれぞれの１ターンがハンダボール３４側に偏寄され、挟まれた中央の１ターンがやや凹んだ状態となるように形成される。なお、挟まれた中央の１ターンは検査用治具１２に設けられた平板状のコンタクトパッド１６に当接するまでには検査用治具１２のコンタクトパッド１６側に偏寄されるものでない。また、コイルばねコンタクト３０のコイル軸の両端部は、図４の従来例と同様に、検査用治具１２のコンタクトパッド１６側に偏寄されている。そして、検査用治具１２側に配設される絶縁材からなるハウジング４４により、検査用治具１２に設けられた平板状のコンタクトパッド１６に両端部が当接するようにして、コイルばねコンタクト３０が適宜に脱落しないように保持配設される。ここで、コイルばねコンタクト３０の２箇所の偏寄された部分はハウジング４４から突出していて、被測定デバイス３２に設けられたハンダボール３４に当接される。
【００１７】
かかる構成からなる第１実施例のコイルばねコンタクト３０にあっては、２箇所偏寄した部分が、被測定デバイス３２に設けられたハンダボール３４の頂部の両側位置に当接し、ハンダボール３４の頂部に傷が付くことがなく、しかも頂部の両側位置で当接することによりハンダボール３４の弾接位置がずれることがない。もって、弾接位置の精度が向上し、また弾接状態が安定する。
【００１８】
次に、本発明の第２実施例を図２を参照して説明する。図２は、本発明のコイルばねコンタクトの第２実施例の構造を示し、（ａ）は使用状態における縦断面図であり、（ｂ）は（ａ）のＣ−Ｃ断面矢視図である。図２において、図１および図４に示す部材と同じまたは均等な部材には同じ符号を付けて重複する説明を省略する。
【００１９】
図２において、図１に示す第１実施例と相違するところは、コイルばねコンタクト４０のコイル軸が被測定デバイス３２に設けられたハンダボール３４側に２箇所偏寄するように形成され、しかも２箇所偏寄された部分で挟まれる中央部が、検査用治具１２に設けられた平板状のコンタクトパッド１６に当接するように、検査用治具１２のコンタクトパッド１６側に大きく偏寄されている点にある。より具体的には、中央部の数ターンを挟んだ両側のそれぞれの１ターンがハンダボール３４側に偏寄され、挟まれた中央部の数ターンが大きく凹んだ状態となって、その一部のターンが検査用治具１２に設けられた平板状のコンタクトパッド１６に当接するまで検査用治具１２のコンタクトパッド１６側に偏寄される。そして、コイルばねコンタクト４０のコイル軸の両端部は、図１に示す第１実施例と同様に、検査用治具１２のコンタクトパッド１６側に偏寄されている。そして、検査用治具１２側に配設される絶縁材からなるハウジング５４により、検査用治具１２に設けられた平板状のコンタクトパッド１６に両端部と中央部が当接するようにして、コイルばねコンタクト４０が適宜に脱落しないように保持配設される。ここで、コイルばねコンタクト４０の２箇所の偏寄された部分はハウジング５４から突出していて、被測定デバイス３２に設けられたハンダボール３４に当接される。
【００２０】
かかる構成からなる第２実施例のコイルばねコンタクト４０にあっては、２箇所偏寄した部分が、被測定デバイス３２に設けられたハンダボール３４の頂部の両側位置に当接し、ハンダボール３４の頂部に傷が付くことがなく、しかも頂部の両側位置で当接することによりハンダボール３４の弾接位置がずれることがない。もって、弾接位置の精度が向上し、また弾接状態が安定する。また、両端部と中央部で、検査用治具１２に設けられた平板状のコンタクトパッド１６に当接することで、検査用治具１２に設けられた平板状のコンタクトパッド１６との電気的接続もより確実になされる。
【００２１】
さらに、本発明の第３実施例を図３を参照して説明する。図３は、本発明のコイルばねコンタクトの第３実施例の構造を示し、（ａ）は使用状態における縦断面図であり、（ｂ）は（ａ）のＤ−Ｄ断面矢視図である。図３において、図１と図２および図４に示す部材と同じまたは均等な部材には同じ符号を付けて重複する説明を省略する。
【００２２】
図３において、図１に示す第１実施例と相違するところは、コイルばねコンタクト５０のコイル軸が、被測定デバイス３２に設けられたハンダボール３４側に両端側の２箇所が当接するとともに、中央部が検査用治具１２に設けられた平板状のコンタクトパッド１６に当接するように、検査用治具１２のコンタクトパッド１６側に大きく偏寄され、略Ｖ字状に形成されている点にある。そして、検査用治具１２側に配設される絶縁材からなるハウジング６４により、検査用治具１２に設けられた平板状のコンタクトパッド１６に中央部が当接するようにして、コイルばねコンタクト５０が適宜に脱落しないように保持配設される。ここで、コイルばねコンタクト５０の両端側の２箇所の偏寄された部分は、ハウジング６４から突出していて、被測定デバイス３２に設けられたハンダボール３４に当接される。
【００２３】
かかる構成からなる第３実施例のコイルばねコンタクト５０にあっては、両端側の２箇所の偏寄した部分が、被測定デバイス３２に設けられたハンダボール３４の頂部の両側位置に当接し、ハンダボール３４の頂部に傷が付くことがなく、しかも頂部の両側位置で当接することによりハンダボール３４の弾接位置がずれることがない。もって、弾接位置の精度が向上し、また弾接状態が安定する。そして、コイル軸方向の寸法を短くできるので、小型化が容易である。
【００２４】
なお、上記実施例におけるハンダボール３４に当接する２箇所の偏寄された部分の間隔は、上記実施例に限られず、ハンダボール３４の大きさやコイルを形成する導電線の太さなどを考慮して適宜に設定されれば良いことは勿論である。
【図面の簡単な説明】
【００２５】
【図１】本発明のコイルばねコンタクトの第１実施例の構造を示し、（ａ）は使用状態における縦断面図であり、（ｂ）は（ａ）のＢ−Ｂ断面矢視図である。
【図２】本発明のコイルばねコンタクトの第２実施例の構造を示し、（ａ）は使用状態における縦断面図であり、（ｂ）は（ａ）のＣ−Ｃ断面矢視図である。
【図３】本発明のコイルばねコンタクトの第３実施例の構造を示し、（ａ）は使用状態における縦断面図であり、（ｂ）は（ａ）のＤ−Ｄ断面矢視図である。
【図４】特許文献１で提案した従来のコイルばねコンタクトの構造を示し、（ａ）は使用状態における縦断面図であり、（ｂ）は（ａ）のＡ−Ａ断面矢視図である。
【符号の説明】
【００２６】
１０、３０、４０、５０  コイルばねコンタクト
１２  検査用治具
１４、４４、５４、６４  ハウジング
１６、２０  コンタクトパッド
１８、３２  被測定デバイス
３４  ハンダボール
【図１】
2008077896.tif 000003
【図２】
2008077896.tif 000004
【図３】
2008077896.tif 000005
【図４】
2008077896.tif 000006